(57)【要約】【課題】バンドを１工程で遊技盤に取り付けて、生産効率を良くする。【解決手段】二次成形機構２３が一次成形機構２２からバンド７を受け取ると、位置決定ツール２８が上昇して内部に固着具１０を取り込んだ後、バンド挿入装置１４のハンドツール２７がバンド本体８の上方から固着具１０のバンド本体８と結合する上部を抱え持つように両側から挟む格好で支持したら、ハンドツール２６がバンド本体８の支持を解放した後、バンド挿入装置１４がバンド取付エリア１９に向けて下降し、固着具１０が位置決定ツール２９で案内されつつバンド取付用下孔５に根元まで１工程で圧入され、バンド７が遊技盤１に抜けないように固定される。【選択図】　　　　図１
2004081436.tif 000002
【特許請求の範囲】
【請求項１】
遊技盤に遊技領域を形成する帯状のバンド本体に固着具を備えたバンドを取り付ける遊技機製造設備のバンド取付方法において、固着具を遊技盤に形成されたバンド取付用下孔に根元まで１回の下降動作で挿入することを特徴とする遊技機製造設備のバンド取付方法。
【請求項２】
遊技盤に遊技領域を形成する帯状のバンド本体に固着具を備えたバンドを取り付ける遊技機製造設備のバンド取付装置において、固着具のバンド本体と結合された根元部を支持して遊技盤に形成されたバンド取付用下孔に１回の下降動作で挿入するバンド挿入装置を備えたことを特徴とする遊技機製造設備のバンド取付装置。
【発明の詳細な説明】
【０００１】
【発明の属する技術分野】
本発明は、パチンコ機のような球を遊技媒体として使用する遊技機を製造する設備において、遊技盤に球の流れる遊技領域を形成する帯状のバンドを取り付ける装置に関する。
【０００２】
【従来の技術】
特開平６−３４３７３９号公報で開示されたバンド取付装置は、バンドの帯状のバンド本体に設けられた割ピンのような固着具の先端部を遊技盤に形成されたバンド取付用下孔に挿入する挿入工程と、固着具の先端部がバンド取付用下孔に挿入された固着具の根元部までをバンド取付用下孔に圧入する圧入工程との２工程で、バンドを遊技盤に取り付けるようになっている。
【０００３】
【発明が解決しようとする課題】
しかしながら、前記従来例は挿入工程と圧入工程との２工程であるので、工程が多く、生産効率が悪いという問題点があった。
【０００４】
そこで、本発明は生産効率を良くすることができるバンド取付方法および装置を提供するものである。
【０００５】
【課題を解決するための手段】
本発明のバンド取付方法は固着具を遊技盤に形成されたバンド取付用下孔に根元まで１回の下降動作で挿入することによって、１回の下降動作でバンドを遊技盤に取り付けることができ、生産効率を良くすることができる。本発明のバンド取付装置は固着具のバンド本体と結合された根元部を支持して遊技盤に形成されたバンド取付用下孔に１回の下降動作で挿入するバンド挿入装置を備えたことによって、固着具のバンド本体と結合された根元部を支持したまま、１回の下降動作でバンドを遊技盤に取り付けることができ、生産効率を良くすることができる。
【０００６】
【発明の実施の形態】
図１から図４は一実施形態であって、図１はバンド取付工程を模式的に示し、図２はバンド取付装置の正面を模式的に示し、図３はバンド成形装置１３の位置決定ツール２８を切断した断面を示し、図４はバンド挿入装置１４の位置決定ツール２９の外観を分解して示す。図２に示すように、バンド取付装置に供給される遊技盤１はベニヤ板のような合板からなる方形状の遊技基板の一表面に図柄の印刷された合成樹脂からなる化粧シートを接合した意匠盤面を有する一方、基準孔２、部品逃孔３、アウト口４、バンド取付用下孔５；６が形成された形態とする。部品逃孔３、アウト口４、バンド取付用下孔５；６は基準孔２を基準とした位置に形成される。バンド取付装置に供給されるバンド７は帯状のバンド本体８の長縁下部に形成された複数の長孔９に割ピンのような複数の固着具１０の曲折部を個別に挿入したことによってバンド本体８に複数の固着具１０を横振れ可能に結合した形態とする。
【０００７】
図２を参照し、バンド取付装置について、遊技盤搬送装置１１で左側に示す遊技盤１を矢印Ｘ１方向の一方向に搬送する一方、バンド本体８を遊技盤１に取り付けられる所定の弧状（図１の右上の遊技盤１に取り付けられた弧状）に曲げ成形するとともに、複数本の固着具１０を遊技盤１のバンド取付用下孔５に挿入することで、バンド７を遊技盤１に取り付ける装置を例として説明する。
【０００８】
バンド取付装置は遊技盤搬送装置１１の側部にバンド供給装置１２、バンド成形装置１３、バンド挿入装置１４を備える。そして、バンド供給装置１２に多数本のバンド７の搭載されたバンドパレット１５を供給した状態において、遊技盤１が遊技盤搬送装置１１で搬入エリア１６に到達すると、遊技盤ストッパー１７が下降限度位置から上昇して上昇限度位置に停止する過程で遊技盤搬送装置１１の搬送体１８よりも上方に突出し、搬送体１８で搬送されてくる遊技盤１の搬送方向（矢印Ｘ１方向）先端面に接触して遊技盤１を搬入エリア１６の内部に停止する。
【０００９】
その後、遊技盤１のバンド取付エリア１９への供給時期になると、遊技盤ストッパー１７が上昇限度位置から下降して下降限度位置に停止する過程において搬送体１８よりも下方に引っ込み前記遊技盤１との接触を解放すると、遊技盤１が搬送体１８で搬入エリア１６からバンド取付エリア１９に搬送される。バンド取付エリア１９では遊技盤ストッパー２０が下降限度位置から上昇して上昇限度位置に停止する過程で搬送体１８よりも上方に突出し、搬送体１８で搬送されてくる遊技盤１の搬送方向先端面に接触して遊技盤１をバンド取付エリア１９の内部に停止する。その後、遊技盤リフト２１が下降限度位置から上昇して上昇限度位置に停止する過程で搬送体１８よりも上方に突出し、遊技盤ストッパー２０で停止している遊技盤１を搬送体１８より上方に浮上支持する。
【００１０】
一方、バンド７がバンド供給装置１２からバンド成形装置１３に受け取られることで、バンド本体８がバンド成形装置１３で遊技盤１に取り付けられる所定の弧状（図１の右上の遊技盤１に取り付けられた弧状）に曲げ成形された後、バンド成形装置１３からバンド挿入装置１４に受け取られる。そして、遊技盤１が搬入エリア１６からバンド取付エリア１９に到達するまでの間に、バンド７を受け取ったバンド挿入装置１４がバンド取付エリア１９の真上に待機している。そして、遊技盤１がバンド取付エリア１９に到達して遊技盤リフト２１で搬送体１８から浮上支持され、遊技盤リフト２１が上昇限度位置に停止し、バンド７を支持したバンド挿入装置１４が遊技盤リフト２１上の遊技盤１に向けて下降することで、固着具１０がバンド取付エリア１９に取り込まれた遊技盤１のバンド取付用下孔５に挿入されて遊技盤１に抜けないように取り付けられる。この固着具１０がバンド取付用下孔５に挿入される前に、遊技盤リフト２１上の遊技盤１とバンド挿入装置１４のバンド７を支持する機構とを遊技盤１の基準孔２に図外の位置きめピンを挿入することで位置決めして、固着具１０とバンド取付用下孔５との位置合わせが行われる。
【００１１】
バンド成形装置１３は一次成形機構２２と二次成形機構２３とを備える。一次成形機構２２はバンド成形装置１３とバンド供給装置１２とに対する矢印Ｘ２で示す横移動と昇降とを行うとともにバンド本体８を掴む機能を有し、バンド供給装置１２から受け取ったバンド７のバンド本体８を少し曲げる予備成形を行う。二次成形機構２３は一次成形機構２２とバンド挿入装置１４とに対する矢印Ｘ３で示す横移動（一次成形機構２２の横移動と直交する方向の横移動）と昇降を行うとともにバンド本体８を掴む機能および複数の固着具１０の先端部を位置決めする機能を有し、一次成形機構２２から受け取ったバンド７のバンド本体８を遊技盤１に取り付ける弧状に曲げる本成形を行う。バンド挿入装置１４は二次成形機構２３とバンド取付エリア１９とに対する矢印Ｘ３で示す横移動（二次成形機構２３と同方向の横移動）と昇降とを行うとともに複数の固着具１０を掴む機能を有し、二次成形機構２３から受け取ったバンド７の固着具１０をバンド取付エリア１９における遊技盤１のバンド取付用下孔５に挿入する。
【００１２】
図１を参照し、バンド７がバンド供給装置１２からバンド成形装置１３を経由してバンド挿入装置１４で遊技盤搬送装置１１におけるバンド取付エリア１９で停止中の遊技盤１に取り付けられる工程について説明する。ステップ１０１において、バンド供給装置１２のバンド取出機構２４でバンドパレット１５から取り出されたバンド７に対し、一次成形機構２２のハンドツール２５が上方から下降してバンド本体８をバンド本体８の板厚方向両側から挟む格好で支持した後に上昇して停止する。その後、一次成形機構２２が矢印Ｘ１１で示す横方向に移動して仮想線で示すように二次成形機構２３の真上で停止する。このように一次成形機構２２がバンド供給装置１２からバンド７を受け取って二次成形機構２３の真上に停止するまでの過程において、ハンドツール２５がバンド本体８の両端部を支持したまま互いに近づく方向に移動することによってバンド７を符号７Ａで示す供給形態から符号７Ｂで示す一次成形形態（予備成形形態）に少し曲げる。
【００１３】
そして、仮想線で示す一次成形機構２２のハンドツール２５が予備成形されたバンド本体８を上方から支持している状態において、二次成形機構２３のハンドツール２６が固着具１０から横に位置をずらしてバンド本体８の下方からバンド本体８を板厚方向両側から挟む格好で支持する（ハンドツール２５とハンドツール２６とは互いに干渉しない位置でバンド本体８を掴む）。二次成形機構２３のハンドツール２６がバンド本体８を支持したら、一次成形機構２２のハンドツール２５がバンド本体８の支持を解放する。この一次成形機構２２から二次成形機構２３へのバンド７の受け渡しに際しては、一次成形機構２２と二次成形機構２３とのいずれかが下降または上昇してもよいが、一次成形機構２２が下降し、二次成形機構２３が上昇するというように、一次成形機構２２と二次成形機構２３との双方が矢印Ｘ１２で示すように互いに近づく方向に昇降を行えば、受け渡しに対する移動時間が少なくなる。
【００１４】
次に、ステップ１０２において、一次成形機構２２からバンド７を受け取った二次成形機構２３は矢印Ｘ１３で示すように遊技盤搬送装置１１のバンド取付エリア１９の方向に移動して遊技盤搬送装置１１の側部に停止する。このように二次成形機構２３が一次成形機構２２からバンド７を受け取って遊技盤搬送装置１１の側部に停止するまでの過程において、ハンドツール２６がバンド本体８を多点支持したままステップ１０１の符号７Ｂで示す一次成形形態から符号７Ｃで示す二次成形形態（本成形形態）に曲げる。ハンドツール２６が本成形されたバンド本体８を下方から支持している状態において、二次成形機構２３に固着具１０と対応する数だけ設けられた位置決定ツール２８が上昇して内部に形成されたすり鉢状の孔に固着具１０の先端部を取り込む。また、二次成形機構２３の停止と合うように、バンド挿入装置１４がバンド取付エリア１９の真上から矢印Ｘ１４で示す横方向に移動し二次成形機構２３の真上に停止する。
【００１５】
引き続き、ステップ１０３において、バンド挿入装置１４のハンドツール２７がバンド本体８の上方からバンド本体８の板厚方向両側を経由して固着具１０のバンド本体８と結合する上部を抱え持つように両側から挟む格好で支持する。バンド挿入装置１４のハンドツール２７が固着具１０を支持したら、二次成形機構２３のハンドツール２６がバンド本体８の支持を解放する。この二次成形機構２３からバンド挿入装置１４へのバンド７の受け渡しに際しては、二次成形機構２３とバンド挿入装置１４とのいずれかが下降または上昇してもよいが、二次成形機構２３が下降し、バンド挿入装置１４が上昇するというように、二次成形機構２３とバンド挿入装置１４との双方が互いに近づく方向に昇降を行えば、受け渡しに対する移動時間が少なくなる。
【００１６】
そして、二次成形機構２３からバンド挿入装置１４へのバンド７の受け渡しが終了した後、バンド挿入装置１４が矢印Ｘ１５で示すように上昇した後にバンド取付エリア１９に向けて横移動してバンド取付エリア１９の真上に停止する。このバンド挿入装置１４がバンド７を二次成形機構２３から受け取ってバンド取付エリア１９の真上に停止するまでの間に、遊技盤１がバンド取付エリア１９に搬送されてきて停止した後に遊技盤搬送装置１１の下方から遊技盤搬送装置１１よりも上方に上昇する遊技盤リフト２１に支持される。遊技盤１が遊技盤搬送装置１１より浮上した上昇限度位置で、遊技盤リフト２１は停止する。
【００１７】
さらに、バンド挿入装置１４に設けられた開閉可能な位置決定ツール２９が開状態から閉じる。位置決定ツール２９はバンド挿入装置１４の横移動する可動部分から分離されており、遊技盤搬送装置１１の搬送体１８を取り付ける土台である装置本体に固定的に取り付けられた固定部分であって、位置決定ツール２９が閉じることで内部に固着具１０を案内する孔が形成される。位置決定ツール２９の下面はステップ１０３において遊技盤１を浮上支持した遊技盤リフト２１が上昇限度位置に停止することで遊技盤１の上面である意匠盤面に接近する。
【００１８】
その状態において、ステップ１０４に示すように、バンド挿入装置１４がバンド取付エリア１９に向けて下降する。このバンド挿入装置１４が下降する過程において、固着具１０の先端部が閉じた位置決定ツール２９で案内されつつバンド取付用下孔５に挿入された後、位置決定ツール２９が閉状態から開き、ハンドツール２７と位置決定ツール２９との干渉（接触）防止が図られる。位置決定ツール２９が開いた後もハンドツール２７が下降を継続し、固着具１０のほぼ全部（固着具１０のバンド本体８と結合している部分は遊技盤１より外側に突出するので、ほぼ全部は固着具１０のバンド本体８と結合している部分を除いた部分を意味する）がバンド取付用下孔５に挿入される。この場合、固着具１０の中間部がバンド取付用下孔５を押し広げるようにバンド取付用下孔５周りの遊技盤１に食い込みつつ、固着具１０がバンド取付用下孔５に圧入されることで遊技盤１に抜けないように完璧に固定される。そして、バンド挿入装置１４が下降限度位置に停止すると、ハンドツール２７が固着具１０の支持を解放し、その後、バンド挿入装置１４が上昇する。これによって、１個の遊技盤１への１本バンド７の取付工程の１サイクルが終わる。
【００１９】
図２の右上に示す遊技盤１において符号９７はバンド７の内側に取り付けられた内バンド、９８はアウト口４を縁取るように遊技盤１に取り付けられたハートである。バンド７は内バンド９７に対する外バンドと呼ばれる。内バンド９７もバンド７と同様の工程で遊技盤１に取り付けられる。内バンド９７が遊技盤１に取り付けられる場合、内バンド９７の固着具１０に相当する図外の固着具が遊技盤１のバンド取付用下孔６に挿入される前に、ハート９８が遊技盤１のアウト口４の周りに搭載され、内バンド９７の固着具の２本がハート９８に形成された図外の貫通孔を上方から経由してバンド取付用下孔６に挿入されれば、内バンド９７とハート９８とを内バンド９７の固着具で共締めしつつ遊技盤１に取り付けることができる
【００２０】
図３を参照し、位置決定ツール２８について詳述する。位置決定ツール２８は固着具１０を挿入する上下方向に貫通するすり鉢状の孔３１を備えて、二次成形機構２３の決定ツール可動ベース３２の上面に固定される。決定ツール可動ベース３２には二次成形機構２３を全体的に昇降する機構ベース３３に取り付けられたエアシリンダーのような決定ツール昇降駆動源３４のピストンロッドのような出力体３５が結合されており、決定ツール可動ベース３２が決定ツール昇降駆動源３４で上昇すると、位置決定ツール２８の上部が決定ツール可動ベース３２よりも上方に配置されたハンドツール可動ベース３６に形成された逃孔３７から決定ツール可動ベース３２よりも上方に突出し、孔３１が孔３１の中心線Ｌ上を下降する固着具１０の先端部を接触し得る程度でがたつくことがない整合形態で取り込む。
【００２１】
ハンドツール２６はバンド本体８の板厚方向に相対峙する一対のローラ３８；３９を備える。バンド本体８の内側に位置するローラ３８はハンドツール可動ベース３６に定置的に設けられた支柱４０に回転可能に支持され、バンド本体８の外側に位置するローラ３９はハンドツール可動ベース３６に可動的に設けられた支柱４１に回転可能に支持される。支柱４１は支柱４０を逃げる開口部４２を有するハンド可動ベース４３に固定される。ハンド可動ベース４３にはハンドツール可動ベース３６に取り付けられたエアシリンダーのようなハンド開閉駆動源４４のピストンロッドのような出力体４５が結合されており、ハンド可動ベース４３がハンド開閉駆動源４４で外側から内側に向けて閉動作すると、ローラ３９がローラ３８に近づくように横移動し、ローラ３８とローラ３９とがバンド本体８を板厚方向両側から挟む格好で支持する。機構ベース３３には二次成形機構２３を全体的に昇降するエアシリンダーのような機構昇降駆動源４６のピストンロッドのような出力体４７が結合される。機構昇降駆動源４６は二次成形機構２３の土台としての図外の装置本体に設けられた図外の横移動機構の可動体に固定的に取り付けられる。
【００２２】
よって、二次成形機構２３は機構昇降駆動源４６で昇降を行い、ローラ３９がローラ３８に近づくように横移動してローラ３８とローラ３９とがバンド本体８を掴むことでバンド本体８に対する本成形を行い、位置決定ツール２８の孔３１が固着具１０の先端部を挿入することで複数の固着具１０の先端部を個別に位置決めする。
【００２３】
図４を参照し、位置決定ツール２９について詳述する。位置決定ツール２９は一対の開閉体５１を遊技盤搬送装置１１の搬送体１８を取り付ける土台である装置本体５２に固定的に取り付けられた固定ベース５３に形成された逃孔５２を挟む格好で固定ベース５３に備える。開閉体５１の互いに向き合う先端部には、バンド挿入装置１４のハンドツール２７の先端部を整合するように収容する縦溝５４を上部に備え、固着具を挿入するすり鉢状の径方向に２分割された孔５５を下部に備える。他方の開閉体５１には一方の開閉体５１の孔５５と対となる図示は省略した孔が形成される。一対の開閉体５１には開閉機構５６を備える。開閉機構５６はエアシリンダーようにな開閉駆動源５７のピストンロッドのような出力体５８に可動体５９を結合した形態であって、可動体５９には開閉体５１が個別に結合される。可動体５９は固定ベース５３の下面に固定されたガイドで互いに離れたり近づいたりする方向に案内される。固定ベース５３には位置決め体６１を備える。ハンドツール２７を備えるバンド挿入装置１４の横移動する可動部分の可動ベース６２には位置決め体６３を備える。可動ベース６２が固定ベース５３に向けて下降する過程において、位置決め体６１と位置決め体６３とが互いに嵌め合わされることで、位置決定ツール２９の孔５５の中心とハンドツール２７の中心とが上下方向の１本の線上で一致する。
【００２４】
図５から図７を参照し、ハンドツール２７について説明する。図５において、ハンドツール２７は可動ベース６２の上に止ねじ６４で取り付けたブラケット６５を備える。ブラケット６５および可動ベース６２には複数のガイドロッド６６が上下方向に移動可能に装着され、ガイドロッド６６のブラケット６５よりも上方に突出した上端にはシリンダーベース６７がナット６８で固定され、ガイドロッド６６の可動ベース６２よりも下方に突出した下端にはチャックベース６９が止ねじ７０で固定された形態である。シリンダーベース６７にはストッパー７１が下方に向けて突出するように取り付けられストッパー７１の下端がブラケット６５の上面に受け止められることによって、シリンダーベース６７とブラケット６５との上下方向の間隔が所定寸法に確保される。
【００２５】
ストッパー７１の上端部はシリンダーベース６７からの突出量を調整可能に取り付けられる。例えば、ストッパー７１の上端部に形成された図外の雄ねじにナットを装着し、ナットよりも上方に突出した雄ねじがシリンダーベース６７に形成されたねじ孔（雌ねじの形成された孔）に装着され、ストッパー７１のシリンダーベース６７からの突出量を調整した後、ストッパー７１とシリンダーベース６７との回転が阻止されたまま、ナットが締結操作されてシリンダーベース６７の下面に接触することによって、上記調整されたストッパー７１のシリンダーベース６７からの突出量が固定される。ストッパー７１の下端にはウレタンゴムのような消音体７２を備える。ストッパー７１がシリンダーベース６７とブラケット６５との上下方向の間隔を所定寸法に確保する場合に、消音体７２がブラケット６５の上面に接触してストッパー７１とブラケット６５との衝突音の発生を防止する。
【００２６】
ガイドロッド６６における可動ベース６２とベース上部７７との間の部分にはウレタンゴムのような緩衝体７３が装着される。シリンダーベース６７の上にはチャックシリンダー７４が取り付けられ、チャックシリンダー７４の図６のピストンロッド７５に連結した昇降ロッド７６がブラケット６５、可動ベース６２、チャックベース６９におけるベース上部７７を上下移動可能に貫通し、ピストンロッド７５のベース上部７７よりも下方に突出した下端には一対のリンクプレート７８の上端がロッド軸７９で同軸状に取り付けられ、リンクプレート７８における各々の下端にはチャックベース６９にアーム軸８０で取り付けられた一対のチャックアーム８２における上端の各々がリンク軸８１で個別に連結される。チャックアーム８２の下部には平坦面であるバンド本体支持部８３と凹状な固着具支持部８４とが互いに向き合うように形成される。
【００２７】
そして、チャックシリンダー７４のピストンロッド７５が下降すると、チャックアーム８２の下部が昇降ロッド７６およびリンクプレート７８を介してアーム軸８０を中心として互いに近づく方向に移動し、図７に実線で示すように、チャックアーム８２のバンド本体支持部８３がバンド７におけるバンド本体８の固着具１０と結合する下部を抱え持つように両側から挟む格好で支持する一方、チャックアーム８２の固着具支持部８４がバンド７における固着具１０のバンド本体８と結合する上部を抱え持つように両側から挟む格好で支持する。チャックシリンダー７４のピストンロッド７５が上昇すると、図７に仮想線で示すように、チャックアーム８２の先端部はアーム軸８０を中心として互いに離れる方向に移動して上記バンド７に対する支持を解放する。
【００２８】
チャックベース６９にはバンド防振体８５が固定的に取り付けられる。バンド防振体８５はチャックベース６９よりも下方に突出した下端部にバンド本体８を非接触に取り込む逃溝８６を備える。バンド防振体８５のチャックベース６９よりも上方に突出した上端部には昇降ロッド７６の下降限度位置を調整するボルトのような図６の下降位置調整具Ａが装着される。下降位置調整具Ａは雄ねじ部がバンド防振体８５の上端部の上面から内部に形成された図外のねじ孔（雌ねじの形成された孔）にねじ嵌合される。当該ねじ孔に対する雄ねじ部の嵌合量が調整された状態において、バンド防振体８５の上端部の前面から内部にねじ嵌合されたセットスクリューのような図６の固定具Ｂが締結されることによって、固定具Ｂの先端部がバンド防振体８５の内部にねじ嵌合された下降位置調整具Ａを上下方向に移動しないようにバンド防振体８５に固定させる。このように下降位置調整具Ａがバンド防振体８５に固定された状態において、チャックシリンダー７４で昇降ロッド７６が下降する過程において下降位置調整具Ａで受け止められることによって、前記バンド７に対するチャックアーム８２の支持力が調整される。つまり、チャックアーム８２のバンド本体支持部８３がバンド７におけるバンド本体８の固着具１０と結合する下部を締め過ぎることのないように適切に支持し、チャックアーム８２の固着具支持部８４がバンド７における固着具１０のバンド本体８と結合する上部を締め過ぎることのないように適切に支持することができる。
【００２９】
図６にも示すように、昇降ロッド７６とガイドロッド６６とが互いにブラケット６５に軸受８７；８８で上下移動可能に装着されたことから、ピストンロッド７５と昇降ロッド７６との間には心出調整具８９を設け、心出調整具８９の上部にはピストンロッド７５が結合され、心出調整具８９の下部には昇降ロッド７６に締結したボルトのような連結具９０がピストンロッド７５の軸心と直交する平面内に移動可能に連結される。具体的には、ピストンロッド７５の下端部に形成された雄ねじにはナット９１が装着され、ナット９１よりも下方に突出した雄ねじが心出調整具８９に形成されたねじ孔（雌ねじの形成された孔）に装着され、ピストンロッド７５と心出調整具８９との連結量が調整された後、ピストンロッド７５と心出調整具８９との回転が阻止されたまま、ナット９１が締結操作されて心出調整具８９の上面に接触することによって、上記調整されたピストンロッド７５と心出調整具８９との連結量が固定される。
【００３０】
連結具９０の上部に形成された頭部９２が心出調整具８９に形成された横溝９３に上記平面内で移動可能に挿入されたことによって、昇降ロッド７６とガイドロッド６６とが互いにブラケット６５に軸受８７；８８で心出しされた状態で適切に上下移動可能となる。また、心出調整具８９の横溝９３よりも幅の狭いスリット９４よりも下方に突出した連結具９０の下端部に形成された雄ねじにはナット９５が装着され、ナット９５よりも下方に突出した雄ねじが昇降ロッド７６に形成されたねじ孔に装着され、連結具９０と心出調整具８９との連結量が調整された後、連結具９０と心出調整具８９との回転が阻止されたまま、ナット９５が締結操作されて昇降ロッド７６の上面に接触することによって、上記調整された連結具９０と心出調整具８９との連結量が固定される。
【００３１】
よって、ピストンロッド７５の中心と昇降ロッド７６の中心とが上記平面内で横方向に多少ずれたとしても、心出調整具８９の横溝９３と連結具９０の頭部９２との間に形成された環状の隙間、心出調整具８９のスリット９４と連結具９０の下端部との間に形成された環状の隙間によって、上記ピストンロッド７５の中心と昇降ロッド７６の中心との位置ずれを吸収し、ピストンロッド７５の昇降動力が昇降ロッド７６に適切に伝達し、昇降ロッド７６が軸受８７で案内されつつ適切に昇降される。
【図面の簡単な説明】
【図１】一実施形態のバンド取付を示す工程図。
【図２】同実施形態のバンド取付装置を示す平面的な模式図。
【図３】同実施形態のバンド成形装置の位置決定ツールの断面図。
【図４】同実施形態のバンド挿入装置の位置決定ツールの分解斜視図。
【図５】同実施形態のハンドツールを示す斜視図。
【図６】同実施形態のハンドツールを示す正面図。
【図７】同実施形態のハンドツールの動作を示す正面図。
【符号の説明】
１　遊技盤
５　バンド取付用下孔
７　バンド
８　バンド本体
１０　固着具
２７　ハンドツール
２８　位置決定ツール
３１　孔
５５　孔
５６　開閉機構
【図１】
2004081436.tif 000003
【図２】
2004081436.tif 000004
【図３】
2004081436.tif 000005
【図４】
2004081436.tif 000006
【図５】
2004081436.tif 000007
【図６】
2004081436.tif 000008
【図７】
2004081436.tif 000009